(57)【要約】【課題】単純化された態様でパターン認識を行うこと。【解決手段】パターン検出ステップ２と、このパターン検出ステップ２において得られたパターンの特性付けを行う特性付与ステップ３と、この特性付与ステップ３において得られたパターンの認識を行う認識ステップ４と、を順に行うパターン認識方法であって、パターン特性付与ステップにおいては、ＭＦ （ｐ，ｑ）をパターンのフーリエ−メリーン変換としかつｐ，ｑを回転およびスケール変化のそれぞれに対応したパターンの不変量を示す係数としたときに、フーリエ−メリーン空間内におけるパターンＤＦ （ｐ，ｑ）の不変量記述子を得る。【選択図】図１
2010134957.tif 000002
【特許請求の範囲】
【請求項１】
パターン認識方法であって、
イメージのパターンＦ（ρ，θ）を検出し、
ｐ，ｑを、回転およびスケール変化のそれぞれに対応したパターンの不変量を示す係数としたときに、さらに、ＭＦ （ｐ，ｑ）を、次式によって表されるパターンのフーリエ−メリーン変換としたときに、
【数１】
2010134957.tif 000006
さらに、Ｆ（ρ，θ）を、極座標系において規定されたパターンとしたときに、さらに、σ０ を、積分収束の問題を満たすために経験的に決定されたパラメータであって、σ０ ＞０というものとしときに、
ＤＦ(p,q)＝ＭＦ(p,q)［ＭＦ(1,1)]−ｑ｜ＭＦ(1,1)｜ｑ［ＭＦ(1,0)]−ｐ
のようにして、フーリエ−メリーン空間内におけるパターンＦ（ρ，θ）の不変量記述子ＤＦ （ｐ，ｑ）を決定し、
前記パターンの前記不変量記述子と基準記述子とを比較することにより、前記パターンを認識することを特徴とする方法。
【請求項２】
システムであって、
学習ステージとテストステージとを実行し得るよう構成された神経ネットワークを具備してなり、
前記学習ステージにおいては、前記テストステージにおいて要求されるデータを代理するようなデータセットを、前記神経ネットワークに対して付与し、
前記データセットを使用することにより、基準記述子が形成され、
前記テストステージにおいて要求される前記データが、フーリエ−メリーン変換によって得られた請求項１における不変量記述子ＤＦ （ｐ，ｑ）を備え、
前記テストステージにおいては、前記不変量記述子ＤＦ （ｐ，ｑ）と前記基準記述子とが比較されることを特徴とするシステム。
【発明の詳細な説明】
【技術分野】
【０００１】
本発明は、パターンの向きやサイズにかかわらずにパターン認識を行えるようなパターン認識方法に関するものである。
【０００２】
本発明は、デジタルイメージ処理に応用することができる。より詳細には、例えば技術文書といったような文書の認識の分野に応用することができる。
【背景技術】
【０００３】
向きにかかわらずパターン認識が行えるような２つのパターン認識方法が公知である。すなわち、
−パターンの向きを予め計算し、基準位置へとパターンをもってくるように補正する、という方法。
−向き調整を一切行わないようなパターン認識方法。
【０００４】
パターンの向きを補正することをベースとしたパターン認識方法は、パターンの変形をもたらす。この変形は、使用されている方法（Ｋ−ＮＮ法（Ｋ−最隣接法）、神経ネットワーク）にかかわらず、パターンの分類を困難なものとしてしまう。例えば、光学的キャラクターの認識の場合には、このことは、不適切なキャラクターを作ってしまうこととなる。
【０００５】
この現象は、構造化された文字の認識が要望されている場合には、問題とはならない。なぜなら、構造化された文字は、通常、一定の向きとされているからであり、段落や単語や限られた数のキャラクターフォントや他の構造的情報によってもたらされる文脈を有しているからである。この文脈は、認識の曖昧さを解決するのに有用な予備情報のかなりの部分をもたらす。
【０００６】
技術図面や地図の場合には、注釈や地名に対応した文字の向きは、かなりばらつきを有している。文字を、文書全体にわたって一般化することはできない。なぜなら、キャラクター列の書式が、記述されている対象物に応じて変化するからである。いくつものタイプのフォントが使用されているとともに、キャラクターのサイズや字の太さなども、様々である。したがって、そのような文書においては確かに文脈があるけれども、その文脈は、局所的なものでしかない。すなわち、図面の局所領域に制限されたものである。
【０００７】
向きを補正しないパターン処理方法においては、パターンは、回転変換や並進移動変換や規定変換に関して不変の特定の記述子を使用して記述される。この記述を行うために、このような方法においては、構造基本単位の抽出、あるいは、問題を上記各変換に関して不変とする分類技術の使用、のいずれかを必要とする。
【０００８】
公知の主要な方法においては、不変モーメント抽出、円内基本単位抽出、あるいは、認識すべきパターンの外郭線上におけるフーリエ記述子の抽出、のいずれかを使用している。
【先行技術文献】
【特許文献】
【０００９】
【特許文献１】特開平９−１６７２２６号公報
【非特許文献】
【００１０】
【非特許文献１】Faouzi Ghorbel，A complete invariant description for gray-level images by the harmonic analysis approach，Pattern Recognition Letters 15，１９９４年１０月，第１０４３〜１０５１頁
【発明の概要】
【発明が解決しようとする課題】
【００１１】
不変モーメント抽出においては、パターンを正確に記述するために、非常に大きな次数のモーメントを必要とする。モーメントの次数におけるこの伝搬は、計算値の動特性やエラー伝搬に基づく分類の問題をもたらすことがある。
【００１２】
したがって、パターンからの不変モーメントの抽出は、かなり複雑なアルゴリズムを生成する。このことにより、パターン認識処理における処理速度が、かなり遅くなる。
【００１３】
円内基本単位抽出方法においては、中心からプローブを送出するようなを円でもってパターン囲むことによってパターンを記述する。このプローブは、円の半径に応じたパターンのスペクトル形状を記述するために使用される。各パターンに対して十分な数の半径を形成することによって、パターンの特性値からなる表を作ることができる。パターンを決定するには、表中の値を、基準値と比較する。
【００１４】
円内基本単位抽出方法も、また、かなり複雑なアルゴリズムを生成する。例えば、認識すべきパターンが記号に対応している場合には、円内基本素子の使用は、必要に応じて、この場合には様々なプローブに対して多数の半径を形成することによって、かなり多数の数値を含んだ表を作ることとなってしまう。
【００１５】
加えて、これら方法は、イメージ上のノイズ感受性（信号／雑音比）に関連した問題をもたらす。
【００１６】
パターンの外郭線上におけるフーリエ記述子の抽出は、かなりの数の問題をもたらす。
【００１７】
まず第１に、スケールや向きの変更に関して不変であるような信頼性高くかつ関連した基本単位を決定することが困難であり、不可能でさえある。第２に、記述子が完全ではなく（記述子からのイメージの再構成が可能である）、このことは、記述子の弱さを伝達する。最後に、実験により、計算ノイズに対する感受性を小さく維持しつつ完全に記述されるパターンから関連次数を決定することが困難であることが示された。
【課題を解決するための手段】
【００１８】
本発明は、上記欠点を有していない。本発明は、パターン検出ステップと、このパターン検出ステップにおいて得られたパターンの特性付けを行う特性付与ステップと、この特性付与ステップにおいて得られたパターンの認識を行う認識ステップと、を順に行うパターン認識方法に関するものである。本発明においては、パターン特性付与ステップにおいて、ＭＦ （ｐ，ｑ）をパターンのフーリエ−メリーン変換としかつｐ，ｑを回転およびスケール変化のそれぞれに対応したパターンの不変量を示す係数としたときに、次式のようにして、フーリエ−メリーン空間内におけるパターンの不変量記述子ＤＦ （ｐ，ｑ）が得られる。
【００１９】
ＤＦ(p,q)＝ＭＦ(p,q)［ＭＦ(1,1)]−ｑ｜ＭＦ(1,1)｜ｑ［ＭＦ(1,0)]−ｐ
【００２０】
本発明によるパターン認識方法は、すべてのタイプのパターンに対して応用することができる。例えば、パターンは、曲線（閉塞していても閉塞していなくても良い）および／または表面を規定する有限数のポイントからなる組とすることができる。
【００２１】
本発明の利点は、パターンの全体的文脈を無視することによって、また、パターンに対して形状変換を施すことなく、パターン認識が行えることである。
【００２２】
多くの背景において、パターンどうしは、互いにくっついていることもあり得るし、互いにオーバーラップしていることもあり得る。これらパターンの認識は、困難な問題点をもたらす。本発明による方法は、この種の問題点に対する有効な解決手段をもたらす。
【図面の簡単な説明】
【００２３】
【図１】本発明によるパターン認識方法を示すブロック図である。
【図２】本発明の第１応用例におけるパターン認識方法の使用を示すフローチャートである。
【図３】本発明の第２応用例におけるパターン認識方法の使用を示すフローチャートである。
【発明を実施するための形態】
【００２４】
図１は、本発明によるパターン認識方法のブロック図を示している。
【００２５】
このパターン認識方法は、以下の連続した４つの主要ステップを具備している。すなわち、
−オリジナルイメージＩを前処理することにより、前処理済みイメージＩＳ を生成するという前処理ステップ１と、
−前処理済みイメージＩＳ 内に含まれているパターンＦを検出するという検出ステップ２と、
−検出されたパターンＦを特性づけることにより、パターンＦの記述子を形成するという特性付与ステップ３と、
−当該パターンの記述子を基準記述子と比較することにより、パターン認識を行うパターン認識ステップと、
を具備している。
【００２６】
まず最初に、前処理ステップ１においては、オリジナルイメージＩを走査することによって、ソースイメージを形成する。
【００２７】
例えば、イメージＩは、例えば１５．７５ドット／ｍｍ（４００ｄｐｉ（ドットパーインチ））よりも大きいような、高解像度の８ビットフォーマットで走査される。次に、ソースイメージが処理されて、ソースイメージの中の興味のある領域が形成される。ソースイメージは、例えばしきい値によって処理される。例えば、しきい値アルゴリズムによってソースイメージのグレーレベルヒストグラムから形成されたしきい値レベルを適用することによって処理される。このしきい値は、ソースイメージのヒストグラム内に、いくつかの（少なくとも２つの）カテゴリーのグレーレベルを形成するために使用される。例えば、これらカテゴリーのうちの少なくとも１つは、ソースイメージの背景に対応しており、保持されることはない。すなわち、この場合、背景モードは、ソースイメージ内においてゼロへとリセットされる。この処理により、ソースイメージのうちの興味のある領域を形成するために使用されるマスクを演繹することができる。マスキングイメージは、ソースイメージにマスクを適用することによって得られる。したがって、このマスキングイメージは、この時点において、オリジナルイメージＩの中で、重要なものとして選択された要素だけを含有している。
【００２８】
次に、このマスキングイメージに対して局所的処理が行われる。つまり、適用可能なしきい値を、しきい値アルゴリズムを使用して、マスキングイメージに対して適用する。これにより、しきい値処理されたイメージＩＳ が得られる。マスキングイメージに対して実行されるしきい値処理は、ソースイメージに対して直接的に実行される場合よりも、より厳密なものである。特に、この処理を行うことにより、しきい値処理をソースイメージに対して直接的に行った場合になされていたであろうものよりも、イメージの詳細を識別することができる。
【００２９】
ステップ２は、しきい値処理済みイメージＩＳ 内において認識すべきパターンを検出するために、行われる。
【００３０】
文字や記号の認識結果が付与されることとなるパターンは、特定の形状および統計学的特性を備えた要素の組によって、イメージ内に示されている。
【００３１】
本発明の第１応用例においては、このパターン検出ステップは、パターン関連要素抽出ステップを備えている。パターン関連要素は、外郭線抽出器により、また、外郭線内に含まれているポイントを検出し得るよう走査アルゴリズムを外郭線内部に適用することにより、抽出される。このような関連要素抽出ステップに対する特許出願は、“Document, particularly technical drawing, pattern   recognition and segmentation process”と題して、１９９８年５月７日付けで本出願人によって出願されている。以下、この抽出ステップについて説明する。
【００３２】
関連要素抽出器を使用して文字が抽出される。パターン認識を行うべきパターンに対しての文字や記号だけを保持するために、要素のサイズに対してのフィルタリングが行われ、文字や記号のサイズとして不適切なサイズを有したものが除外される。
【００３３】
第１ステップの第１ステージにおいては、抽出操作が、しきい値処理済みイメージＩＳ 内に存在する関連画素クラスターに対して、行われる。このようにして、各々が同様の画素クラスターすなわちパターンをを表しているような基本イメージが、形成される。
【００３４】
これらパターンは、形状的基準に従って並べ替えられる。セグメント化操作を行うことにより、パターンに対してラベル付けが行われ、形状的基準に従ったパターンの分類が行われる。セグメント化操作によって、文書を表した物理的「層」からなる組が形成される。形状に従ってパターンを並べ替えることにより、各パターンに対して特別化された認識アルゴリズムを適用することができる。
【００３５】
このようにして形成されたいくつかの物理的層の各々は、ソースイメージＩＳ に対してのマスクと見なすことができる。ソースイメージＩＳ に対してこのようなマスクを適用することによって、認識のためのパターンを含有したイメージ領域を抽出することができる。このようにして、各物理的層を使用して、ソースイメージＩＳ のグレーレベル内に、対応情報を得ることができる。
【００３６】
次に、イメージのセグメント化を改良するために、認識のための各パターンに対して、しきい値処理を行うことができる。認識のためのパターンに対する新たなしきい値が決定されると、このパターンに対して、新たなサイクルを繰り返すことができる。つまり、パターンを、関連マスクのサイズによって再度セグメント化することができる。次に、ソースイメージＩＳ 内に含有されているように思われるパターンを分離することができる。関連要素抽出アルゴリズムとしては、多数のものが存在する。好ましくは、本発明において使用される関連要素抽出アルゴリズムは、外郭線抽出器をベースとしたものである。外郭線抽出器をベースとしたアルゴリズムの利点は、要素のうちの幾何形状的基本単位および構造的基本単位（重心、周縁部、閉塞、等）を含むことができることである。
【００３７】
本発明の第２応用例においては、パターン検出ステップは、検出すべきパターンを指定する予備ステップを備えている。検出されるべきパターンの事前指定をベースとしたこのパターン認識の使用は、複数の含有パターンの中からパターンを識別する際に特に有効である。検出されるべき文字や記号のリストに関する予備知識は、要素解析アルゴリズムにおいて考慮すべき前提条件の設定を容易なものとする。本発明のこの第２応用例においては、パターン検出ステップにおいて、上述のような抽出ステップを行う必要はない。
【００３８】
ステップ３は、ステップ２において得られたパターンＦの特性付与ステップである。本発明においては、この特性付与ステップは、フーリエ−メリーン変換を使用して不変記述子を得るために、使用される。
【００３９】
Ｆ（ρ，θ）を、極座標系（ρ，θ）において規定されたパターンとする。フーリエ−メリーン変換は、次式によって示される。
【００４０】
【数１】
2010134957.tif 000003
【００４１】
ここで、σ０ は、積分収束の問題を満たすために機能的に決定されたパラメータであって、σ０ ＞０である。これにより、スケール変化や回転に関して不変であることが保証される。
【００４２】
デカルト座標（ｘ，ｙ）への変換は、次式（２）によって与えられる。この場合、σ０ ＝１である。
【００４３】
【数２】
2010134957.tif 000004
【００４４】
式（１）（２）において使用されている「ｐ」および「ｑ」は、パターンＦ（ρ，θ）の、それぞれ、回転に関しての不変性をもたらす係数（ｐ）およびスケール変化に関しての不変性をもたらす係数（ｑ）である。
【００４５】
イメージは、複数のポイントからなる有限個の組である。次式（３）は、式（２）の離散変数バージョンである。
【００４６】
【数３】
2010134957.tif 000005
【００４７】
式（３）は、複素数係数の、パターンＦとフィルタｈとの間への畳込み積分（コンボルーション）である。
【００４８】
フーリエ−メリーン変換は、本質的には、スケール因子および回転に関して不変ではない。しかしながら、次式のようにして、不変記述子ＤＦ（ｐ，ｑ） を演繹することができる。
【００４９】
ＤＦ(p,q)＝ＭＦ(p,q)［ＭＦ(1,1)]−ｑ｜ＭＦ(1,1)｜ｑ［ＭＦ(1,0)]−ｐ
【００５０】
式（４）において最も興味深い点は、この式を使用することによって、任意のパターンから、スケール変化や向き変化に関して全体的に不変であるような特性を有したベクトルを抽出できることである。
【００５１】
互いに異なるサイズや向きとされていても同一パターンであれば同一の不変ベクトルを有していることにより、様々な向きを有した文字や記号の認識に際してこの式を適用することは、非常に有利である。
【００５２】
式（３）は、完全性という性質を有している。有利には、本発明によるパターンの記述子は、パターンの完全な記述を可能とする。モードｐ，ｑを抽出することにより、パターンのスケール要因や回転要因に関して不変の記述子が得られる。「ｐ」および「ｑ」として可能な値の数は、必要とされるパターン特性付与精度と、記憶しておくべきフィルタ数と、の間の妥協として選択される。
【００５３】
多数の数の試料に関する統計的テストによって、比較的低次数のパターンについての不変計算でもって十分にパターン識別が行えることにより、本方法の強度が示される。多数の例示が、係数ｐ、ｑに対しての０〜４次に制限された計算であっても優秀な認識率が十分に得られることを示している。
【００５４】
ステップ４は、パターン認識ステップであって、このステップにおいては、フーリエ−メリーン変換において得られた記述子ＤＦ を基準記述子と比較する。本発明においては、パターン認識ステップは、基準記述子の学習ステップを備えている。ステップ４は、原理支配神経ネットワークに応じて適用される。
【００５５】
神経ネットワークは、相互連結された複数の基本セルからなる組として説明することができる。
【００５６】
ニューロンと称される各神経セルは、同じタイプのいくつかの他のニューロンと相互連結されている。他のニューロンに対しての各ニューロンの相互連結構造は、ネットワーク体系を形成しており、ネットワークの推論可能性つまり学習可能性と意志決定可能性とに関して、無視できない影響を有している。ネットワーク構造は、ネットワーク動作モードに応じて、時間的に一定のものとすることも、時間的に可変のものとすることも、できる。このように、個々の体系に応じて、すべてのニューロンが互いに相互連結されているネットワークもあるし、複数のニューロンが複数の層を形成するようにして配置されていてデータのやりとりが層どうしの間で行われるようになっているネットワークもある。
【００５７】
各基本セルの構造は、比較的標準的であって、通常、ヒトの神経を単純化したモデルをベースとしている。この基本構造は、通常、１組をなす複数の入力ポート（ヒトの脳におけるシナプスを表している）と、１つの出力ポートと、を備えて構成されている。基本セルの動作は、非常に単純なものである。というのは、この動作においては、入力ポートに到達するデジタル値の関数として出力ポートのレベル（デジタル値）を計算するからである。したがって、各セルは、「シナプス係数」として公知のニューロン入力ポートに応じた、非常に単純化された計算容量しか有していない。ニューロンのシナプス係数は、各ニューロン入力ポートに対して割り当てられた重みに対応している。
【００５８】
各入力ポート上において、各ニューロンは、１組をなすデジタル値を受領し、入力ポートやシナプス係数やセル計算関数に応じた値を再送出する。
【００５９】
神経ネットワークの動作は、２つのステージに分けることができる。すなわち、学習ステージとテストステージとに分けることができる。学習ステージは、ヒトの学習ステージと同等のものである。なぜなら、このステージにおいては、知りたいことのすべてをネットワークに対して教えるというステップを行うからである。このステップにおいては、ネットワークは、置換および構築ステージにあり、実行されるすべての計算の目的は、ネットワークの応答を予想された応答とするよう、シナプス係数値を計算して最適化することである。テストステージにおいては、ネットワークは、通常、もはや変更されることがなく、供給された入力に対して単に応答を返すのみである。
【００６０】
学習ステージにおいては、テストステージにおいて要求されるであろうデータを代理するようなデータセットを、神経ネットワークに対して付与する。このデータセットは、学習ベースと称される。学習ベースの項目がネットワークに対して供給されたときには、ネットワークは、学習ベースとネットワーク応答との間の最適な対応関係を見出すために、様々なアルゴリズムを使用して、シナプス係数の値を構築し最適化する。
【００６１】
テストステージにおいては、項目がネットワークに対して供給され、供給された項目が、デジタル値の組へと変換されるすなわちデジタル値の組によって表現される。そして、ネットワークは、入力と様々なシナプス係数との関数として、応答を提示する。
【００６２】
文献レベルにおいて多数の学習手法が記載されており、学習手法は、選択されたアルゴリズムとネットワーク構造とに依存する。文献には、かなり幅広い種類のネットワーク構造が記載されている。このうち、いくつかの主要な傾向に注目することができる。つまり、
−複数層知覚をベースとした組合せネットワーク。
−完全な連結が行われている動的ネットワーク。
−競合ネットワーク（Kohonen ネットワーク、ＬＶＱ（「学習ベクトルの量子化」）ネットワーク、等）。
−再循環ネットワーク、つまり、出力ポートから入力ポートへとループが形成されたネットワーク。
−局所連結ネットワーク。
−時間遅延型神経ネットワーク（ＴＤＮＮ）。
−適用型構造ネットワーク。
【００６３】
したがって、学習アルゴリズムは、採用されているネットワーク構造に依存する。文献においては、多数の学習手法が知られているけれども、いくつかのものは、実施が容易であることから、広く知れ渡っているように思われる。これらのうち、傾斜後方伝搬アルゴリズム（複数層知覚をベースとしたネットワーク）と、ニューロンどうしの間の競合をベースとしたアルゴリズム（Kohonen） と、に着目することができる。
【００６４】
上述のように、学習ステージは、テストステージにおいてプロセスに対して要求されるであろうデータを代理するようなデータセットを、神経ネットワークに対して付与するという段階を含んでいる。
【００６５】
本発明においては、テストステージにおいて処理すべきデータは、フーリエ−メリーン変換において得られた記述子ＤＦ を備えている。よって、学習ステージにおいて神経ネットワークに対して提示されるデータは、基準記述子を形成するために使用された項目を含んでいる。テストステージにおいては、フーリエ−メリーン変換において得られた記述子ＤＦ が、基準記述子と比較される。
【００６６】
有利には、本発明においては、基準記述子の決定は、非常に単純である。なぜなら、基準記述子の決定が、例えば０〜４次といったような比較的低次数のｐ、ｑを備えたフーリエ−メリーン不変量を使用したパターンの記述をベースとしているからである。
【００６７】
本発明における好ましい応用においては、選択された学習手法は、競合ネットワークのタイプである。
【００６８】
図２は、本発明の第１応用例におけるパターン認識方法の使用を示すフローチャートである。
【００６９】
より詳細には、図２は、検出された関連パターンの認識に際してのフーリエ−メリーン変換の非決定論的使用を示している。非決定論的使用とは、検出されるべきパターンの予備指定を行わないような、本発明によるパターン認識方法の使用を意味している。
【００７０】
第１設定ステップ５は、認識されるべきパターンの回転およびスケール変化のそれぞれに関する不変量に係わる係数ｐ、ｑに対して割り当てるべき値を選択するために、行われる。
【００７１】
ステップ５の次には、ステップ６として、フーリエ−メリーン変換のフィルタの計算が行われ、記憶される。すなわち、ｐ、ｑの値に基づいて、フィルタＭＦ （ｐ，ｑ）が計算される。
【００７２】
ステップ６の次には、イメージ読込ステップ７が行われ、このイメージ読込ステップ７においては、イメージが導入されて走査される。ステップ７の次のステップ８においては、イメージの走査とセグメント化されたパターンの検出とが行われる。このステップにおいては、パターンの関連クラスターを決定する。
【００７３】
ステップ８の次には、検出されたパターンの関連要素の計算ステップ９が行われる。そして、次なるステップ１０においては、パターンの関連要素に基づいて、フーリエ−メリーン不変量記述子が計算される。
【００７４】
ステップ１０において得られた不変記述子は、その後、ステップ１１において、学習ステップ（図示せず）によって得られている基準記述子Ｄ（ｒ）と比較される。
【００７５】
イメージの全体が走査され終わると、パターン認識方法が完了する（ステップ１３）。そうでなければ、ステップ８へと戻る。
【００７６】
図３は、本発明の第２応用例におけるパターン認識方法の使用を示すフローチャートである。
【００７７】
より詳細には、図３は、検出された関連パターンの認識に際してのフーリエ−メリーン変換の決定論的使用を示している。決定論的使用とは、検出されるべきパターンの予備指定を行うような、本発明によるパターン認識方法の使用を意味している。
【００７８】
この場合には、パターン認識に対して干渉を起こす傾向のあるデータセットから予め指定されたパターンを識別して認識することができる。本発明においては、予め指定されたパターンは、完全であり全体的であり安定であるという特性を有した不変量記述子によって記述される。
【００７９】
第１ステップ１４は、上記設定ステップ５に対応している。
【００８０】
ステップ１４の次には、フーリエ−メリーン変換の基準フィルタの選択ステップ１５が行われる。すなわち、前もって位置決めされたパターンに対応したフーリエ−メリーンフィルタが選択される。
【００８１】
そして、フーリエ−メリーン変換の基準フィルタに対応した基準記述子が、計算される。この方法においては、基準記述子の学習ステップを備えている。
【００８２】
ステップ１５の次には、イメージ読込ステップ１６が行われ、このイメージ読込ステップ１６は、上記ステップ７と同一である。すなわち、このステップ１６においては、イメージが導入されて走査される。ステップ１６の次のステップ１７においては、イメージが、スライドウィンドウによって走査される。イメージの各ウィンドウにおいて、イメージに対してフーリエ−メリーンフィルタの畳込み積分が計算される（ステップ１７の後のステップ１８）。この計算によって、不変量記述子が演繹される。
【００８３】
不変量記述子と基準記述子とが対応していれば、パターンが認識され格納される（ステップ２１）。対応しておらず、かつ、イメージ全体の走査が終了すれば、パターン認識方法が完了する（ステップ２２）。対応しておらず、かつ、イメージ全体の走査が終了していなければ、ステップ１７へと戻る。
【符号の説明】
【００８４】
１  前処理ステップ
２  検出ステップ
３  特性付与ステップ
４  認識ステップ
【図１】
2010134957.tif 000007
【図２】
2010134957.tif 000008
【図３】
2010134957.tif 000009